(57)【要約】【課題】良好な循環通風の効果を提供し、かつファンの回転時の騒音を抑えることができる気流交換装置を提供する。【解決手段】空気導入管体１には相対する第一端部１１と第二端部１２が含まれ、第一端部１１には第一空気入口１１１と第一空気出口１１２が設けられ、第二端部１２には第二空気入口１２１と第二空気出口１２２が設けられる。区切り部材２は空気導入管体１の内部に設置され、空気導入管体１の内部を第一導流空間２１と第二導流空間２２に区切るのに用いられ、第一導流空間２１は第一、第二空気入口１１１、１２２と連通し、第二導流空間２２は第一、第二空気出口１１２、１２１と連通する。ファン３は気流を導入または導出するのに用いられ、ファン３は空気導入管体１に結合される。制御モジュール４は空気導入管体１の第二端部１２に結合され、制御モジュール４はファン３に電気的に接続する。【選択図】図１
2015070259.tif 000002
【特許請求の範囲】
【請求項１】
一個の空気導入管体（１）、一個の区切り部材（２）、少なくとも一個のファン（３）および一個の制御モジュール（４）を含む気流交換装置であって、上記空気導入管体（１）には相対する一個の第一端部（１１）と一個の第二端部（１２）が含まれ、上記第一端部（１１）には一個の第一空気入口（１１１）と一個の第一空気出口（１１２）が設けられ、上記第二端部（１２）には一個の第二空気入口（１２１）と一個の第二空気出口（１２２）が設けられ、上記区切り部材（２）は上記空気導入管体（１）の内部に設置され、上記空気導入管体（１）の内部を一個の第一導流空間（２１）と一個の第二導流空間（２２）に区切るのに用いられ、上記第一導流空間（２１）は上記第一空気入口（１１１）および第二空気出口（１２２）と連通し、上記第二導流空間（２２）は上記第一空気出口（１１２）および第二空気入口（１２１）と連通し、上記ファン（３）は気流を導入または導出するのに用いられ、上記ファン（３）は上記空気導入管体（１）に結合され、制御モジュール（４）は上記空気導入管体（１）の第一端部（１１）と第二端部（１２）のその内の少なくとも一個の端部に結合され、上記制御モジュール（４）は上記ファン（３）に電気的に接続することを特徴とする気流交換装置。
【請求項２】
上記制御モジュール（４）は上記空気導入管体（１）の第二端部（１２）に結合され、上記第二空気入口（１２１）および第二空気出口（１２２）のその内の少なくとも一個の空気口と相対することを特徴とする請求項１に記載の気流交換装置。
【請求項３】
上記制御モジュール（４）には一個のケーシング（４１）が含まれ、上記ケーシング（４１）には一個の連通孔（４１１）、一個の補助空気出口（４１２）と一個の補助空気入口（４１３）が設けられ、上記ケーシング（４１）は上記連通孔（４１１）をもって上記空気導入管体（１）の第二端部（１２）に結合され、かつ上記第二空気入口（１２１）および第二空気出口（１２２）と相対することを特徴とする請求項２に記載の気流交換装置。
【請求項４】
上記ケーシング（４１）の内部には一個の板材（４２）が設けられ、上記板材（４２）は上記連通孔（４１１）と相対して上記ケーシング（４１）の内部を一個の第一分流空間（４１ａ）と一個の第二分流空間（４１ｂ）に区切り、上記連通孔（４１１）は上記板材（４２）に相対して一個の第一開口（４１１ａ）と一個の第二開口（４１１ｂ）が形成され、上記第一開口（４１１ａ）は上記第二空気出口（１２２）と相対し、上記第二開口（４１１ｂ）は上記第二空気入口（１２１）と相対し、上記補助空気出口（４１２）および上記第一開口（４１１ａ）は上記第一分流空間（４１ａ）と連通し、上記補助空気入口（４１３）および上記第二開口（４１１ｂ）は上記第二分流空間（４１ｂ）と連通することを特徴とする請求項３に記載の気流交換装置。
【請求項５】
上記第一分流空間（４１ａ）と上記第二分流空間（４１ｂ）のその内の少なくとも一個空間には上記ファン（３）に電気的に接続する駆動回路または制御回路が設置されることを特徴とする請求項４に記載の気流交換装置。
【請求項６】
上記第一分流空間（４１ａ）と上記第二分流空間（４１ｂ）のその内の少なくとも一個空間には発光部材が設置されることを特徴とする請求項４に記載の気流交換装置。
【請求項７】
上記第一分流空間（４１ａ）と上記第二分流空間（４１ｂ）のその内の少なくとも一個空間には警報器が設置されることを特徴とする請求項４に記載の気流交換装置。
【請求項８】
上記第一分流空間（４１ａ）にはマイナスイオン発生器が設置されることを特徴とする請求項４に記載の気流交換装置。
【請求項９】
上記ファン（３）は一個からなり、上記ファン（３）は上記第一導流空間（２１）に設置され、上記制御モジュール（４）には一個の補助ファン（４３）が設置され、上記補助ファン（４３）は上記ケーシング（４１）の内部に設置され、かつ上記第二分流空間（４１ｂ）に位置され、上記補助ファン（４３）は上記第二開口（４１１ｂ）を通じて上記第二導流空間（２２）と相対し、上記第二分流空間（４１ｂ）に上記ファン（３）と電気的に接続する駆動回路または制御回路が設置されることを特徴とする請求項４に記載の気流交換装置。
【請求項１０】
上記ファン（３）は一個からなり、上記ファン（３）は上記第二導流空間（２２）に設置され、上記制御モジュール（４）には一個の補助ファン（４３）が設置され、上記補助ファン（４３）は上記ケーシング（４１）の内部に設置され、かつ上記第一分流空間（４１ａ）に位置され、上記補助ファン（４３）は上記第一開口（４１１ａ）を通じて上記第一導流空間（２１）と相対し、上記第一分流空間（４１ａ）に上記ファン（３）と電気的に接続する駆動回路または制御回路が設置されることを特徴とする請求項４に記載の気流交換装置。
【請求項１１】
上記空気導入管体（１）の第一端部（１１）には互いに隣接または互いに対応する一個の第一表面（１１ａ）と一個の第二表面（１１ｂ）が設けられ、上記第一表面（１１ａ）と第二表面（１１ｂ）の間には一個の折り曲げ部（１１３）が含まれ、上記第一空気入口（１１１）は上記第一表面（１１ａ）に設置され、上記第一空気出口（１１２）は上記第二表面（１１ｂ）に設置されることを特徴とする請求項１〜１０のいずれかに記載の気流交換装置。
【請求項１２】
上記空気導入管体（１）の第一端部（１１）には互いに隣接する一個の第一表面（１１ａ）と一個の第二表面（１１ｂ）が設けられ、上記第一表面（１１ａ）と第二表面（１１ｂ）の間には一個の折り曲げ部（１１３）が含まれ、上記第一空気入口（１１１）は上記第一表面（１１ａ）に設置され、上記第一空気出口（１１２）は上記第二表面（１１ｂ）に設置され、上記第一表面（１１ａ）は上記第二表面（１１ｂ）に直交されることを特徴とする請求項１〜１０のいずれかに記載の気流交換装置。
【請求項１３】
上記区切り部材（２）には一個の第一区切り板（２ａ）と一個の第二区切り板（２ｂ）が設けられ、上記第一区切り板（２ａ）と第二区切り板（２ｂ）の間には一個の傾斜導流部（２ｃ）が連結されることを特徴とする請求項１〜１０のいずれかに記載の気流交換装置。
【請求項１４】
上記少なくとも一個のファン（３）は上記第一導流空間（２１）と第二導流空間（２２）のその内の少なくとも一個の空間に設置されることを特徴とする請求項１〜８のいずれかに記載の気流交換装置。
【請求項１５】
上記ファン（３）は一個からなり、上記ファン（３）は上記第一導流空間（２１）または第二導流空間（２２）に設置されることを特徴とする請求項１４に記載の気流交換装置。
【請求項１６】
上記ファン（３）は一個からなり、上記ファン（３）は上記第一導流空間（２１）に設置され、上記制御モジュール（４）には一個の補助ファン（４３）が設置され、上記補助ファン（４３）は上記第二導流空間（２２）と相対することを特徴とする請求項１４に記載の気流交換装置。
【請求項１７】
上記ファン（３）は一個からなり、上記ファン（３）は上記第二導流空間（２２）に設置され、上記制御モジュール（４）には一個の補助ファン（４３）が設置され、上記補助ファン（４３）は上記第一導流空間（２１）と相対することを特徴とする請求項１４に記載の気流交換装置。
【請求項１８】
上記ファン（３）は二個からなり、上記二ファン（３）は上記第一導流空間（２１）と第二導流空間（２２）に別々に設置されることを特徴とする請求項１４に記載の気流交換装置。
【請求項１９】
上記空気導入管体（１）は軸方向へ伸縮して軸方向の長さを変えることができる中空管体からなることを特徴とする請求項１〜１０のいずれかに記載の気流交換装置。
【請求項２０】
上記空気導入管体（１）には他に一個の可動スリーブ（１３）が含まれ、上記可動スリーブ（１３）は活動自在に上記第一端部（１１）に結合され、上記可動スリーブ（１３）の内部には二個の独立して区切られた第一収容室（１３１）と第二収容室（１３２）が形成され、上記可動スリーブ（１３）にはさらに二個の空気導引孔（１３３）が設けられ、上記二個の空気導引孔（１３３）は上記第一収容室（１３１）および第二収容室（１３２）と別々に連通し、上記第一収容室（１３１）は上記第一導流空間（２１）に相対し、上記第二収容室（１３２）は上記第二導流空間（２２）に相対することを特徴とする請求項１９に記載の気流交換装置。
【請求項２１】
上記空気導入管体（１）の第一空気入口（１１１）または第一空気出口（１１２）には一個のフィルタ（１４）が設けられることを特徴とする請求項１〜１０のいずれかに記載の気流交換装置。
【請求項２２】
上記補助空気出口（４１２）または補助空気入口（４１３）には一個のフィルタ（１４）が設けられることを特徴とする請求項３〜１０のいずれかに記載の気流交換装置。
【請求項２３】
上記空気導入管体（１）の内側の周壁には防音材が設けられることを特徴とする請求項１〜１０のいずれかに記載の気流交換装置。
【請求項２４】
上記ファン（３）は一個の正逆転制御の回路（５）と電気的に接続することを特徴とする請求項１〜１０のいずれかに記載の気流交換装置。
【請求項２５】
上記補助ファン（４３）は一個の正逆転制御の回路（５）と電気的に接続することを特徴とする請求項９、１０、１６または１７に記載の気流交換装置。
【請求項２６】
上記空気導入管体（１）には一個のカバー（６）が結合され、上記カバー（６）は上記空気導入管体（１）の第一端部（１１）を被覆するのに用いられることを特徴とする請求項１〜１０のいずれかに記載の気流交換装置。
【請求項２７】
上記カバー（６）の内側の周壁と上記空気導入管体（１）の第一空気入口（１１１）および第一空気出口（１１２）の間には隙間が形成されることを特徴とする請求項２６に記載の気流交換装置。
【請求項２８】
上記カバー（６）には少なくとも一個の開口（６１）が設けられることを特徴とする請求項２６に記載の気流交換装置。
【請求項２９】
上記開口（６１）には一個のフィルタ（１４）が設けられることを特徴とする請求項２８に記載の気流交換装置。
【発明の詳細な説明】
【技術分野】
【０００１】
本発明は、気流交換装置に関するもので、特に外部空間と内部空間は循環通風の効果を達成することができる気流交換装置に係るものである。
【背景技術】
【０００２】
従来知られている気流交換装置として、中華民国公告第Ｍ４４０３５５Ｕ１号公報（特許文献１参照）に示す「通気ファン構造の改良」には、図８に示すように従来の気流交換装置９が記載されている。上記気流交換裝置９は大体建物の外壁または電子製品のケーシングなどに取り付けられ、建物の外壁９１を例に挙げると、一般として上記外壁９１の外側は外部空間で、上記外壁９１の内側は内部空間であり、その中に外壁９１においては一個の空気入口９１１と一個の空気出口９１２を開設しなければならず、さらに上記空気入口９１１と空気出口９１２においてそれぞれ一個のファン９２が装設されることにより、上記ファン９２が作動する時、上記外部空間から上記空気入口９１１を経由して外部の気流を上記内部空間まで導入し、それから再び上記空気出口９１２を経由して上記内部空間の気流を外部空間まで導出することにより、循環通風の効果を達成することができる。
【先行技術文献】
【特許文献】
【０００３】
【特許文献１】中華民国公告第Ｍ４４０３５５Ｕ１号公報
【発明の概要】
【発明が解決しようとする課題】
【０００４】
しかしながら、上述した特許文献１の中華民国公告第Ｍ４４０３５５Ｕ１号公報に記載の気流交換装置９においては、実際に取り付けて使用する時、上記外壁９１において少なくとも二個の貫通孔（すなわち空気入口９１１と空気出口９１２）を開設しなければ、良好な循環通風の効果を達成することができず、そのために上記外壁９１の全体構造の強度を下げてしまうという問題点があった。また、上記外壁９１において同時に二個の貫通孔を開設すると、上記二個の貫通孔によって上記外壁９１の内側と外側の表面における過大な面積を占めるため、相対的に上記外壁９１の利用可能な面積は大幅に下げられ、さらに上記ファン９２の片側の表面は上記外壁９１から露出していることにより、上記ファン９２は日に晒されたり雨にぬれたりして壊れやすくなるため、使用寿命が大幅に短くなるという問題点があった。
【０００５】
また、上記従来の気流交換装置９のファン９２は一般的に例えば駆動回路、制御回路またはその他の電子部材によって構成される制御モジュールに電気的に接続するもので、上記制御モジュールを利用して上記ファン９２が回転して作動するのを制御することができるため、気流を導入または導出することができる。しかしながら、上記制御モジュールは作動の過程において高熱が生じ易く、一般的に言えば、余分に例えば放熱フィンまたは放熱ファンを設置して放熱を行なわなければならないため、コストが増えるだけではなく、上記ファン９２は作動の過程において騒音が生じやすくなるため、周囲の静かな環境に影響を及ぼしてしまうという問題点があった。
【０００６】
本発明はこのような問題点に鑑みて発明されたものであって、その第一の解決課題は、隔離部材において二個または二個以上の貫通孔を開設する必要がなく、良好な循環通風の効果を提供することができる気流交換装置を提供しようとすることにある。
【０００７】
本発明の第二の解決課題は、循環通風を行なう過程において、同時に制御モジュール対して放熱を行なうように制御することができる気流交換装置を提供しようとすることにある。
【０００８】
本発明の第三の解決課題は、ファンが作動時に発生するかもしれない騒音を有効に低く下げたりまたは隔離したりすることができる気流交換装置を提供しようとすることにある。
【０００９】
本発明の第四の解決課題は、隔離部材において複数個の貫通孔を開設する必要がないという前提条件で、隔離部材の全体構造の強度を高めることができる気流交換装置を提供しようとすることにある。
【００１０】
本発明の第五の解決課題は、隔離部材において複数個の貫通孔を開設する必要がないという前提条件で、隔離部材の表面は充分な利用可能の面積を有するように確保することができる気流交換装置を提供しようとすることにある。
【課題を解決するための手段】
【００１１】
上記課題を達成するために、本発明による気流交換装置は、一個の空気導入管体、一個の区切り部材、少なくとも一個のファンおよび一個の制御モジュールを含む。上記空気導入管体には相対する一個の第一端部と一個の第二端部が含まれ、上記第一端部には一個の第一空気入口と一個の第一空気出口が設けられ、上記第二端部には一個の第二空気入口と一個の第二空気出口が設けられる。上記区切り部材は上記空気導入管体の内部に設置され、上記空気導入管体の内部を一個の第一導流空間と一個の第二導流空間に区切るのに用いられ、上記第一導流空間は上記第一空気入口および第二空気出口と連通し、上記第二導流空間は上記第一空気出口および第二空気入口と連通する。上記ファンは気流を導入または導出するのに用いられ、上記ファンは上記空気導入管体に結合され、上記空気導入管体の第一端部と第二端部のその内の少なくとも一個の端部に結合され。上記制御モジュールは上記ファンに電気的に接続する。
【００１２】
また、本発明による気流交換装置は、上記制御モジュールは上記空気導入管体の第二端部に結合され、上記制御モジュールは上記第二空気入口および第二空気出口のその内の少なくとも一個の空気口と相対することもできる。また、上記制御モジュールには一個のケーシングが含まれ、上記ケーシングには一個の連通孔、一個の補助空気出口と一個の補助空気入口が設けられ、上記ケーシングは上記連通孔をもって上記空気導入管体の第二端部に結合され、かつ上記第二空気入口および第二空気出口と相対することもできる。また、上記ケーシングの内部には一個の板材が設けられ、上記板材は上記連通孔と相対して上記ケーシングの内部を一個の第一分流空間と一個の第二分流空間に区切り、上記連通孔は上記板材に相対して一個の第一開口と一個の第二開口が形成され、上記第一開口は上記第二空気出口と相対し、上記第二開口は上記第二空気入口と相対し、上記補助空気出口および上記第一開口は上記第一分流空間と連通し、上記補助空気入口および上記第二開口は上記第二分流空間と連通することもできる。
【００１３】
また、本発明による気流交換装置は、上記第一分流空間と上記第二分流空間のその内の少なくとも一個空間には上記ファンに電気的に接続する駆動回路または制御回路が設置されることもできる。また、上記第一分流空間と上記第二分流空間のその内の少なくとも一個空間には発光部材が設置されることもできる。また、上記第一分流空間と上記第二分流空間のその内の少なくとも一個空間には警報器が設置されることもできる。また、上記第一分流空間にはマイナスイオン発生器が設置されることもできる。
【００１４】
また、本発明による気流交換装置は、上記ファンは一個からなり、上記ファンは上記第一導流空間に設置され、上記制御モジュールには一個の補助ファンが設置され、上記補助ファンは上記ケーシングの内部に設置され、かつ上記第二分流空間に位置され、上記補助ファンは上記第二開口を通じて上記第二導流空間と相対し、上記第二分流空間に上記ファンと電気的に接続する駆動回路または制御回路が設置されることもできる。また、上記ファンは一個からなり、上記ファンは上記第二導流空間に設置され、上記制御モジュールには一個の補助ファンが設置され、上記補助ファンは上記ケーシングの内部に設置され、かつ上記第一分流空間に位置され、上記補助ファンは上記第一開口を通じて上記第一導流空間と相対し、上記第一分流空間に上記ファンと電気的に接続する駆動回路または制御回路が設置されることもできる。
【００１５】
また、本発明による気流交換装置は、上記空気導入管体の第一端部には互いに隣接または互いに対応する一個の第一表面と一個の第二表面が設けられ、上記第一表面と第二表面の間には一個の折り曲げ部が含まれ、上記第一空気入口は上記第一表面に設置され、上記第一空気出口は上記第二表面に設置されることもできる。また、上記空気導入管体の第一端部には互いに隣接する一個の第一表面と一個の第二表面が設けられ、上記第一表面と第二表面の間には一個の折り曲げ部が含まれ、上記第一空気入口は上記第一表面に設置され、上記第一空気出口は上記第二表面に設置され、上記第一表面は上記第二表面に直交されることもできる。また、上記区切り部材には一個の第一区切り板と一個の第二区切り板が設けられ、上記第一区切り板と第二区切り板の間には一個の傾斜導流部が連結されることもできる。また、上記少なくとも一個のファンは上記第一導流空間と第二導流空間のその内の少なくとも一個の空間に設置されることもできる。
【００１６】
また、本発明による気流交換装置は、上記ファンは一個からなり、上記ファンは上記第一導流空間または第二導流空間に設置されることもできる。また、上記ファンは一個からなり、上記ファンは上記第一導流空間に設置され、上記制御モジュールには一個の補助ファンが設置され、上記補助ファンは上記第二導流空間と相対することもできる。また、上記ファンは一個からなり、上記ファンは上記第二導流空間に設置され、上記制御モジュールには一個の補助ファンが設置され、上記補助ファンは上記第一導流空間と相対することもできる。また、また、上記ファンは二個からなり、上記二ファンは上記第一導流空間と第二導流空間に別々に設置されることもできる。
【００１７】
また、本発明による気流交換装置は、上記空気導入管体は軸方向へ伸縮して軸方向の長さを変えることができる中空管体からなることもできる。また、上記空気導入管体には他に一個の可動スリーブが含まれ、上記可動スリーブは活動自在に上記第一端部に結合され、上記可動スリーブの内部には二個の独立して区切られた第一収容室と第二収容室が形成され、上記可動スリーブにはさらに二個の空気導引孔が設けられ、上記二個の空気導引孔は上記第一収容室および第二収容室と別々に連通し、上記第一収容室は上記第一導流空間に相対し、上記第二収容室は上記第二導流空間に相対することもできる。
【００１８】
また、本発明による気流交換装置は、上記第一空気入口または第一空気出口には一個のフィルタが設けられることもできる。また、上記空気導入管体の補助空気出口または補助空気入口には一個のフィルタが設けられることもできる。また、上記空気導入管体の内側の周壁には防音材が設けられることもできる。
【００１９】
また、本発明による気流交換装置は、上記ファンは一個の正逆転制御の回路と電気的に接続することもできる。また、上記空気導入管体には一個のカバーが結合され、上記カバーは上記空気導入管体の第一端部を被覆するのに用いられることもできる。また、上記カバーの内側の周壁と上記空気導入管体の第一空気入口および第一空気出口の間には隙間が形成されることもできる。また、上記カバーには少なくとも一個の開口が設けられることもできる。また、上記開口には一個のフィルタが設けられることもできる。
【発明の効果】
【００２０】
本発明の気流交換装置によれば、隔離部材において二個または二個以上の貫通孔を開設する必要がなく、良好な循環通風の効果を提供することができるという利点がある。
【００２１】
本発明の気流交換装置によれば、循環通風を行なう過程において、同時に制御モジュール対して放熱を行なうように制御することができるという利点がある。
【００２２】
本発明の気流交換装置によれば、ファンが作動時に発生するかもしれない騒音を有効に低く下げたりまたは隔離したりすることができるという利点がある。
【００２３】
本発明の気流交換装置によれば、隔離部材において複数個の貫通孔を開設する必要がないという前提条件で、隔離部材の全体構造の強度を高めることができるという利点がある。
【００２４】
本発明の気流交換装置によれば、隔離部材において複数個の貫通孔を開設する必要がないという前提条件で、隔離部材の表面は充分な利用可能の面積を有するように確保することができるという利点がある。
【図面の簡単な説明】
【００２５】
【図１】本発明の実施例の気流交換装置の斜視分解図である。
【図２】本発明の実施例の気流交換装置の組み立てられた状態の断面図である。
【図３】本発明の実施例の気流交換装置の伸縮作動の組み立てられた状態の断面図である。
【図４】本発明の実施例の気流交換装置のもう１つの実施例の組み立てられた状態の断面図である。
【図５】本発明の実施例の気流交換装置に補助ファンが設けられた組み立てられた状態の断面図である。
【図６】本発明の実施例の気流交換装置に正逆転制御の回路が設けられた状態のブロック図である。
【図７】本発明の実施例の気流交換装置にカバーが設けられた組み立てられた状態の断面図である。
【図８】従来の気流交換装置の局部の組み立てられた状態の断面図である。
【発明を実施するための形態】
【００２６】
本発明の実施の一形態について、以下、図面を参照して説明する。
【００２７】
本発明で定義されている「隔離部材」とは、外部空間と内部空間を区切ることができる各種の部材を指すものである。例えば、隔離部材は電子製品のケーシングからなる場合、上記ケーシングの外側は外部空間で、上記ケーシングの内側は内部空間であり、または、隔離部材は建物の外壁からなる場合、上記外壁の外側は外部空間で、上記外壁の内側は内部空間である。
【００２８】
本発明で定義されている「制御モジュール」とは、本発明の気流交換装置の作動を制御するのに用いられる各種の電子部材によって構成される制御モジュールを指すもので、例えば、駆動回路、制御回路、使用者インターフェイスなど、ファンの作動を駆動または制御する各種の電子部材で、または上記制御モジュールは使用の需要性に応じて発光効果、警告効果またはマイナスイオン空気浄化効果を有する各種の電子部材で、例えば、発光部材、警報器、マイナスイオン発生器などであり、上述した電子部材の詳細な構造、組成と効果は、全て本発明に属する技術分野で通常の知識を有するものには容易に理解できるものである。
【００２９】
図１は本発明の実施例の気流交換装置の斜視分解図で、図２は本発明の実施例の気流交換装置の組み立てられた状態の断面図である。図１、２を参照すると、本発明の実施例の気流交換装置は一個の隔離部材Ｄに取り付けるのに用いられ、上記隔離部材Ｄの片側は外部空間Ｓ１で、相対するもう片側は内部空間Ｓ２である。上記気流交換装置には一個の空気導入管体１、一個の区切り部材２、少なくとも一個のファン３と一個の制御モジュール４が含まれ、上記空気導入管体１は上記隔離部材Ｄの一個の貫通孔Ｄ１に取り付けられ、上記区切り部材２と上記少なくとも一個のファン３は上記空気導入管体１の内部に設置され、上記制御モジュール４は上記ファン３に電気的に接続する。
【００３０】
上記空気導入管体１は各種形状の中空管体からなることができ、本実施例において、上記空気導入管体１は中空の円管からなり、上記空気導入管体１には相対する一個の第一端部１１と一個の第二端部１２が含まれ、上記空気導入管体１の第一端部１１には一個の第一空気入口１１１と一個の第一空気出口１１２が設けられ、上記第二端部１２には一個の第二空気入口１２１と一個の第二空気出口１２２が設けられることにより、気流を導入および導出することができる。
【００３１】
上記区切り部材２は上記空気導入管体１の内部に設置され、上記空気導入管体１の内部を二個の独立して区切られた第一導流空間２１と第二導流空間２２に区切るのに用いられ、かつ上記区切り部材２と上記空気導入管体１の結合方式は一体成形または脱着自在による結合からなることができ、上記第一導流空間２１は上記第一空気入口１１１および第二空気出口１２２と連通し、上記第二導流空間２２は上記第一空気出口１１２および第二空気入口１２１と連通する。
【００３２】
上記区切り部材２は上記空気導入管体１の内部を第一導流空間２１と第二導流空間２２に区切ることができる構造の設計からなることができ、本実施例において、上記区切り部材２には一個の第一区切り板２ａと一個の第二区切り板２ｂが設けられ、上記第一区切り板２ａと第二区切り板２ｂの間には一個の傾斜導流部２ｃが連結され、上記傾斜導流部２ｃの設計を利用することにより、上記第一導流空間２１と第二導流空間２２に流通する気流は比較的よい導流効果を有することができる。
【００３３】
上記少なくとも一個のファン３は上記空気導入管体１に結合され、気流を導入および導出するのに用いられ、上記ファン３の結合位置について本発明では限制を設けず、上記空気導入管体１から気流を導入および導出することができるのを原則とする。例えば、上記ファン３は上記第一導流空間２１と第二導流空間２２のその内の少なくとも一個の空間に設置され、または上記ファン３は上記第一空気入口１１１、第一空気出口１１２、第二空気入口１２１と第二空気出口１２２のその内の少なくとも一個の空気口に設置される。これにより、上記空気導入管体１の体積を有効に縮減し、過大な空間を占めるのを避けることができる。上記ファン３は一個または複数個からなることができ、そしてファン３が一個からなる場合、ファン３を第一導流空間２１または第二導流空間２２に設置することができる。
【００３４】
本実施例において、上記ファン３は二個からなり、上記二個のファン３は別々に上記第一導流空間２１と第二導流空間２２に設置されることにより、ファン３の導流効果を高めることができる。特に、上記ファン３が上記空気導入管体１の内部に設置される時、上記空気導入管体１によって防音効果を提供することができるため、上記ファン３が作動時に発生する騒音で上記空気導入管体１外部の静かな環境に影響を及ぼしてしまうのを防止することができる。他に、空気導入管体１の内側の周壁には好ましくは防音材が設けられると、さらに有効に騒音を下げるという効果を達成することができる。
【００３５】
また、本発明のファン３は各種のモーターの駆動によって気流を導引する構造の設計からなることができ、例えば、軸流式ファン、遠心式ファン、送風式ファンまたは水平式対流ファンなどからなることができ、その詳しい構造、組成と作動原理は本発明に属する技術分野で通常の知識を有するものには容易に理解できるものであるため、ここではその説明を省く。
【００３６】
上記制御モジュール４は上記空気導入管体１の第一端部１１および第二端部１２のその内の少なくとも一個の端部に結合され、好ましくは上記空気導入管体１の第二端部１２に結合されることにより、上記制御モジュール４は上記内部空間Ｓ２に位置することができるため、メンテナンスの作業に役立つことができる。上記制御モジュール４の結合方式は脱着自在による結合または一体結合である。上記制御モジュール４は好ましくは上記第二空気入口１２１および第二空気出口１２２のその内の少なくとも一個の空気口と相対するように形成されることにより、上記空気導入管体１は上記ファン３と合わせて気流を導入または導出する過程において、同時に上記制御モジュール４対して放熱を行なうことができる。
【００３７】
上記制御モジュール４は上記ファン３に電気的に接続し、上記ファン３の作動を制御するのに用いられる。本実施例において、上記制御モジュール４には一個のケーシング４１が含まれ、上記ケーシング４１の外観形状は各種の幾何形状からなることができ、例えば円形、楕円形、三角形または長方形などの形状からなることができ、本発明においては限制を設けない。上記ケーシング４１には一個の連通孔４１１、一個の補助空気出口４１２と一個の補助空気入口４１３が設けられ、上記ケーシング４１は上記連通孔４１１をもって上記空気導入管体１の第二端部１２に結合され、かつ上記第二空気入口１２１および第二空気出口１２２と相対する。上記ケーシング４１の内部には一個の板材４２が設けられ、上記板材４２は上記連通孔４１１と相対することにより、上記ケーシング４１の内部を一個の第一分流空間４１ａおよび一個の第二分流空間４１ｂに区切ることができる。
【００３８】
上記連通孔４１１は上記板材４２に相対して一個の第一開口４１１ａと一個の第二開口４１１ｂが形成され、上記第一開口４１１ａは上記第二空気出口１２２と相対し、上記第二開口４１１ｂは上記第二空気入口１２１と相対する。上記補助空気出口４１２および上記第一開口４１１ａは上記第一分流空間４１ａと連通し、上記補助空気入口４１３および上記第二開口４１１ｂは上記第二分流空間４１ｂと連通する。
【００３９】
これにより、上記第一分流空間４１ａと上記第二分流空間４１ｂのその内の少なくとも一個の空間において上記ファン３に電気的に接続する駆動回路または制御回路を設置することができるため、気流が上記第一分流空間４１ａと上記第二分流空間４１ｂを通過する過程において、同時に上記駆動回路または制御回路に対して放熱を行なうことができる。または、上記第一分流空間４１ａと上記第二分流空間４１ｂのその内の少なくとも一個の空間においても、例えば発光部材、警報器またはマイナスイオン発生器を設置することにより、発光効果、警告効果またはマイナスイオン空気浄化効果を有することができる。
【００４０】
上述した本発明の実施例に掲示される気流交換装置を実際に使用すると、図２に示すように、上記隔離部材Ｄは選択的に一個の貫通孔Ｄ１だけが開設され、上記空気導入管体１は上記隔離部材Ｄの貫通孔Ｄ１に取り付けて固定されることにより、上記ファン３が作動する時、上記第一空気入口１１１から上記外部空間Ｓ１の気流を上記空気導入管体１の第一導流空間２１まで導入することができ、かつ上記二空気出口１２２と第一開口４１１ａを経由して気流を上記ケーシング４１の第一分流空間４１ａまで導入し、再び上記補助空気出口４１２から上記第一分流空間４１ａの気流を上記内部空間Ｓ２まで導出することができる。
【００４１】
また、上記内部空間Ｓ２の気流はさらに進んで上記補助空気入口４１３を経由して上記ケーシング４１の第二分流空間４１ｂまで導入することができ、かつ上記第二開口４１１ｂと上記第二空気入口１２１を経由して上記空気導入管体１の第二導流空間２２まで導入し、再び上記第一空気出口１１２から上記外部空間Ｓ１まで導出することができるため、良好な循環通風の効果を提供することができる。
【００４２】
図３は本発明の実施例の気流交換装置の伸縮作動の組み立てられた状態の断面図である。図２、３を参照すると、本発明の空気導入管体１は好ましくは軸方向へ伸縮して軸方向の長さを変えることができる中空管体からなることができる。図示の実施例において、上記空気導入管体１には他に一個の可動スリーブ１３が含まれ、上記可動スリーブ１３は活動自在に上記第一端部１１に結合され、かつ上記可動スリーブ１３の内部には二個の独立して区切られた第一収容室１３１と第二収容室１３２が形成され、上記可動スリーブ１３にはさらに二個の空気導引孔１３３が設けられ、上記二個の空気導引孔１３３は別々に上記第一収容室１３１および第二収容室１３２と連通する。
【００４３】
再び図３を参照すると、上記第一収容室１３１は上記第一導流空間２１と相対し、上記第二収容室１３２は上記第二導流空間２２と相対し、上記可動スリーブ１３は上記空気導入管体の軸方向に沿って往復に活動することにより、上記空気導入管体１はその空気の出入と導流の位置を適当に変えることができるため、使用の利便性を高めることができる。また、上記第一収容室１３１および第二収容室１３２を上記第一導流空間２１および第二導流空間２２の延伸とすることができるため、上記二個の空気導引孔１３３は上記第一空気入口１１１および第一空気出口１１２と合わせて気流を導入および導出することができる。
【００４４】
再び図１、２を参照すると、上述した空気導入管体１の第一空気入口１１１、第一空気出口１１２、第二空気入口１２１と第二空気出口１２２の設置位置は本発明においては限制を設けず、本実施例において、上記第一空気入口１１１と第一空気出口１１２は同じ方向に向いている。
【００４５】
図４は本発明の実施例の気流交換装置のもう１つの実施例の組み立てられた状態の断面図である。図４を参照すると、より良好な循環通風の効果を提供するべく、図４の実施例において上記空気導入管体１の第一端部１１は上記外部空間Ｓ１に位置することができ、上記第一端部１１には互いに隣接する一個の第一表面１１ａと一個の第二表面１１ｂ（上記第一表面１１ａと上記第二表面１１ｂは互いに対応することもできる）が設けられ、上記第一表面１１ａと第二表面１１ｂの間には一個の折り曲げ部１１３が含まれ、第一空気入口１１１は上記第一表面１１ａに設置され、上記第一空気出口１１２は上記第二表面１１ｂに設置される。
【００４６】
これにより、上記第一表面１１ａと第二表面１１ｂの間に上記折り曲げ部１１３が含まれることにより、上記第一空気入口１１１と第一空気出口１１２は異なる方向に向くように形成することができるため、上記第一空気入口１１１によって導入される気流と上記第一空気出口１１２によって導出される気流は互いに干渉しないように確保することができる。好ましくは、上記第一表面１１ａは上記第二表面１１ｂに直交するように形成されることにより、上記第一空気入口１１１は垂直方向で気流を導入し、かつ上記第一空気出口１１２は水平方向で気流を導出するのを確保し、よりよい乱流防止の効果を提供することができるため、全体の循環通風の効果を提供することができる。
【００４７】
他に、上記第一空気入口１１１、第一空気出口１１２、補助空気出口４１２と補助空気入口４１３のその内の少なくとも一個の空気口には、好ましくは一個のフィルタ１４が設置され、不純物をろ過したり上記空気導入管体１の内部に異物が進入するのを防止したりするのに用いられる。上記フィルタ１４は好ましくは上記補助空気出口４１２または補助空気入口４１３に設置されることにより、上記フィルタ１４は上記内部空間Ｓ２に位置することができるため、上記内部空間Ｓ２によりよいろ過の効果を提供することができる。そして、上記隔離部材Ｄは外壁からなる場合、上記内部空間Ｓ２に位置されるフィルタ１４では洗浄がし易く、取替えが簡単になるという利点を有することができる。
【００４８】
図５は本発明の実施例の気流交換装置に補助ファンが設けられたものを示す図であって組み立てられた状態の断面図である。図５を参照すると、上述したファン３は一個からなることができ、上記ファン３は第二導流空間２２に設置され、上記制御モジュール４には一個の輔助ファン４３が設置され、上記輔助ファン４３は上記第一導流空間２１と相対する。好ましくは、上記輔助ファン４３を上記ケーシング４１の内部に設置することができ、かつ上記第一分流空間４１ａに位置するため、上記第一開口４１１ａを通じて上記第一導流空間２１と相対することができる。
【００４９】
上記第一分流空間４１ａに駆動回路または制御回路が設置される時、上記制御モジュール４に上記輔助ファン４３が設置されるため、上記輔助ファン４３は上記駆動回路または制御回路に対して直接放熱を行なうことができ、そして上記輔助ファン４３が上記第一導流空間２１と相対する構造設計に合わせ、上記輔助ファン４３は上記ファン３とは同じ効果を有するように形成されることにより、同様に良好な循環の通風効果を提供することができる。
【００５０】
また、図５に示される実施例の内容に基づき、本発明の技術分野で通常の知識を有する者には容易に理解することができるように、上記ファン３を上記第一導流空間２１に設置することもでき、さらに上記輔助ファン４３を上記ケーシング４１の内部に設置し、かつ上記第二分流空間４１ｂに位置することにより、上記第二開口４１１ｂを通じて上記第二導流空間２２と相対することができ、そして上記第二分流空間４１ｂに駆動回路または制御回路が設置される時、同様に上記駆動回路または制御回路に対して放熱を行なうことができるとともに、良好な循環の通風効果を有することができる。
【００５１】
図６は本発明の実施例の気流交換装置に正逆転制御の回路が設けられた状態のブロック図である。図６を参照すると、上述したファン３および輔助ファン４３のその内の少なくとも一個のファンは一個の正逆転制御の回路５と電気的に接続することができ、上記正逆転制御の回路５は上記ファン３または上記輔助ファン４３が正方向の回転または逆方向の回転を制御するのに用いることができる。
【００５２】
これにより、上記正逆転制御の回路５は上記ファン３または上記輔助ファン４３が逆方向の回転を制御して作動する時、上記ファン３または上記輔助ファン４３により導引される気流方向は図２または図５に示される気流方向Ｉと同じであるため、正常な循環の通風効果を提供することができる。または、上記正逆転制御の回路５は上記ファン３または上記輔助ファン４３が正方向の回転を制御して作動する時、上記ファン３または上記輔助ファン４３により導引される気流方向は図２または５に示される気流方向Ｉと反対になるため、上記記空気導入管体１の内部に溜まった埃を外部の空間まで排除することができる。例えば、上記第一入風口１１１では埃が溜まって塞いでしまうことにより、その空気の進入量に影響を及ぼしてしまうのを避けることができるため、全体的な循環の通風効果を有効に高めることができる。
【００５３】
さらに詳しく言えば、上記正逆転制御の回路５は上記ファン３または上記輔助ファン４３の正逆転のタイミングを制御することができ、例えば上記ファン３または上記輔助ファン４３が逆方向の回転を一定の時間（例えば３０分から６０分まで）に作動した後に、上記ファン３または上記輔助ファン４３が正方向の回転を一定の時間（例えば１０秒から２０秒まで）に直ちに作動するように制御するのを設定することにより、自動的に埃を除去するという効果を達することができる。そして、自動的に埃を除去する作業を完成した後に、再び上記ファン３または上記輔助ファン４３が逆方向の回転を作動するのを制御することにより、循環の通風効果を行なうことができる。または、上記ファン３または上記輔助ファン４３が先に正方向の回転を作動するのを直接設定することにより、予め自動的な埃除去の作業を完成した後に、再び上記ファン３または上記輔助ファン４３が逆方向の回転を作動するのを制御することにより、循環の通風効果を行なうことができる。
【００５４】
図７は本発明の実施例の気流交換装置にカバーが設けられたものを示す図であって組み立てられた状態の断面図である。図７を参照すると、上述した空気導入管体１には一個のカバー６が結合され、上記カバー６は上記空気導入管体１の第一端部１１を被覆するのに用いられ、さらに上記外部空間Ｓ１に設置されることにより、上記カバー６により上記空気導入管体１の第一端部１１は露出することなく、外部空間Ｓ１の雨風や埃を遮蔽することができるとともに、比較的きれいな外観を有する装飾作用を提供することができる。
【００５５】
また、上記カバー６の内側の周壁と上記空気導入管体１の第一入風口１１１および第一出風口１１２の間には隙間が形成されることにより、第一入風口１１１および第一出風口１１２が気流を導入したり導出したりするのに影響を及ぼすのを避けることができる。そして上記カバー６には少なくとも一個の開口６１が設けられ、上記開口６１は下方に向くように形成されることにより、気流が通過するのを提供することができるため、上記第一入風口１１１および第一出風口１１２が気流を導入したり導出したりするという効果を維持することができる。また、上記開口６１には好ましくは上述したフィルタ１４が設置され、フィルタ１４により不純物を濾過して異物が上記空気導入管体１の内部に進入するのを防止することができる。
【００５６】
上述した本発明の実施例に掲示される気流交換装置によれば、上記隔離部材Ｄに選択的に一個の貫通孔Ｄ１だけを開設することにより、本発明の気流交換装置と合わせて外部空間Ｓ１と内部空間Ｓ２の間に良好な循環の通風効果を提供することができる。また、上記隔離部材Ｄに二個または二個以上の貫通孔を開設する必要がないため、相対的に上記隔離部材Ｄの構造の強度を高めることができる。
【００５７】
また、上記隔離部材Ｄの利用可能な面積を増やすことができ、さらに上記気流交換装置の一端の部分を上記隔離部材Ｄの外部空間Ｓ１に露出させるだけで、気流交換装置の露出面積を有効に減らすことにより、日に晒されたり雨にぬれたりして生じる損害を低く下げることができるため、全体から言えば、本発明の気流交換装置では循環放熱の効果を高めるとともに、使用寿命を増やし、さらに使用上の利便性を高めるなどの効果を達成することができる。
【００５８】
また、本発明の実施例の気流交換装置によれば、ファン３は選択的に上記空気導入管体１の内部に設置されることにより、上記ファン３が作動時に生じるかもしれない騒音を有効に隔離することができるため、周囲の静かな環境に影響を及ぼしてしまうのを避けることができる。特に上記空気導入管体１の大部分が上記隔離部材Ｄと上記外部空間Ｓ１に位置する場合、上記ファン３は上記空気導入管体１の内部に位置されることにより、上記内部空間Ｓ２によって上記ファン３が作動時に生じる騒音を有効に隔離することができるため、騒音を低く抑える効果を達成することができる。
【００５９】
さらに、本発明の実施例の気流交換装置によれば、上記制御モジュール４は上記空気導入管体１の第二端部１２に結合され、かつ上記第二空気入口１２１および第二空気出口１２２と相対するため、上記空気導入管体１は上記ファン３と合わせて気流を導入および導出する過程において、同時に上記制御モジュール４に対して放熱を行なうことにより、余分に例えば放熱フィンまたは放熱ファンを設置して放熱を設置して上記制御モジュール４に対して放熱を行なう必要がないため、コストを下げるという効果を達成することがえきる。
【００６０】
本発明は、その精神と必須の特徴事項から逸脱することなく他のやり方で実施することができる。従って、本明細書に記載した好ましい実施形態は例示のものであり、本発明の範囲を限定するものではない。
【符号の説明】
【００６１】
１    空気導入管体
１１    第一端部
１１ａ    第一表面
１１ｂ    第二表面
１１１    第一空気入口
１１２    第一空気出口
１１３    折り曲げ部
１２    第二端部
１２１    第二空気入口
１２２    第二空気出口
１３    可動スリーブ
１３１    第一収容室
１３２    第二収容室
１３３    空気導引孔
１４    フィルタ
２    区切り部材
２ａ    第一区切り板
２ｂ    第二区切り板
２ｃ    傾斜導流部
２１    第一導流空間
２２    第二導流空間
３    ファン
４    制御モジュール
４１    ケーシング
４１ａ    第一分流空間
４１ｂ    第二分流空間
４１１    連通孔
４１１ａ    第一開口
４１１ｂ    第二開口
４１２    補助空気出口
４１３    補助空気入口
４２    板材
４３    補助ファン
５    正逆転制御の回路
６    カバー
６１    開口
９    気流交換装置
９１    外壁
９１１    空気入口
９１２    空気出口
９２    ファン
Ｄ    隔離部材
Ｄ１    貫通孔
Ｉ    気流方向
Ｓ１    外部空間
Ｓ２    内部空間
【図１】
2015070259.tif 000003
【図２】
2015070259.tif 000004
【図３】
2015070259.tif 000005
【図４】
2015070259.tif 000006
【図５】
2015070259.tif 000007
【図６】
2015070259.tif 000008
【図７】
2015070259.tif 000009
【図８】
2015070259.tif 000010